(57)【要約】【課題】利用状況に応じた適切な調整を行う照明調整装置を提供する。【解決手段】入退出がＸ分以内に行われたか否かを判断する（Ｓ１００）。入退出がＸ分以内に行われている場合には繁忙モードを選択する（Ｓ１０２）。入退出がＸ分以内に行われてない場合には、さらに、入退出がＹ時間以上行われていないかを判断する（Ｓ１０４）。入退出がＹ時間以上行われていない場合には閑暇モードを選択する（Ｓ１０６）。入退出がＹ時間経過より前に行われている場合には通常モードを選択する（Ｓ１０８）。そして、通常モードを選択した後、ランニングコスト最小化処理を実行する（Ｓ１１０）。ランニングコスト最適化処理では、ランニングコストが最小になるように、Ｓ１００における「Ｘ」およびＳ１０４における「Ｙ」の値を最適化する。【選択図】図４
2005083807.tif 000002
【特許請求の範囲】
【請求項１】
人感センサによる人の存否の検知結果に基づいて照明器具の点灯制御を行う照明調整装置であって、
前記照明器具の点灯および消灯のタイミングを規定した複数の制御モードの中から人の存否の切り替わりの繁閑状況に応じて選択された制御モードで前記点灯制御を行う、
照明調整装置。
【請求項２】
請求項１に記載の照明調整装置であって、
前記複数の制御モードには、点灯継続時間を通常モードよりも長く規定した繁忙モードが含まれ、人の存否の切り替わりが頻繁な場合に繁忙モードを選択する、
照明調整装置。
【請求項３】
請求項２に記載の照明調整装置であって、
前記通常モードおよび前記繁忙モードには、人の存在が検知されなくなった場合の減光点灯のタイミングが規定され、
前記複数の制御モードには、人の存在が検知されなくなった場合に減光点灯を行わずに消灯させる閑暇モードが含まれ、人の存否の切り替わりが稀な場合に閑暇モードを選択する、
照明調整装置。
【請求項４】
請求項３に記載の照明調整装置であって、
照明器具の消費電力費用および照明器具のメンテナンス費用を含むランニングコストを演算し、そのランニングコストがより低くなるように前記各制御モードの選択条件を最適化する、
照明調整装置。
【発明の詳細な説明】
【技術分野】
【０００１】
本発明は、照明調整装置に関し、特に人感センサを利用した照明調整装置に関する。
【背景技術】
【０００２】
人感センサを利用した照明調整装置の代表的な例として次の２例が挙げられる。その第１例は、人が居室へ入ったことを人感センサで検知すると照明器具を点灯させ、人が居室から出て行ったことを人感センサで確認すると、一定時間経過後に照明器具を消灯させるものである。また第２例は、人が居室へ入ったことを人感センサで検知すると照明器具を点灯させ、人が居室から出て行ったことを人感センサで確認すると、一定時間経過後に照明器具を一定率で減光させるものである。
【０００３】
【特許文献１】特開平９−３０４５４８号公報
【特許文献２】特開平１０−３２６６８０号公報
【特許文献３】特開平５−１１０６５号公報
【発明の開示】
【発明が解決しようとする課題】
【０００４】
上述した第１例では、居室への人の出入りが頻繁に行われた場合、照明器具の点灯および消灯が繰り返し頻発することになり、照明器具の管球寿命が著しく低下する。また、第２例では、居室への人の出入りが稀な場合、居室に人がいないにもかかわらず減光による点灯が継続して電力量を無駄に消費することになる。このように、これらの例では居室への人の出入りの繁閑状況に応じて適切な調整が行われていないという問題があった。
【０００５】
本発明は、このような問題点に鑑みてなされたものであり、その目的は、利用状況に応じた適切な調整を行う照明調整装置を提供することにある。
【課題を解決するための手段】
【０００６】
上記目的を達成するために、本発明の好適な態様である照明調整装置は、人感センサによる人の存否の検知結果に基づいて照明器具の点灯制御を行う照明調整装置であって、前記照明器具の点灯および消灯のタイミングを規定した複数の制御モードの中から人の存否の切り替わりの繁閑状況に応じて選択された制御モードで前記点灯制御を行うものとする。上記構成によれば、制御モードが人の存否の切り替わりの繁閑状況に応じて選択されるため、利用状況に応じた適切な調整を行うことが可能になる。
【０００７】
望ましくは、前記複数の制御モードには、点灯継続時間を通常モードよりも長く規定した繁忙モードが含まれ、人の存否の切り替わりが頻繁な場合に繁忙モードを選択するものとする。さらに望ましくは、前記通常モードおよび前記繁忙モードには、人の存在が検知されなくなった場合の減光点灯のタイミングが規定され、前記複数の制御モードには、人の存在が検知されなくなった場合に減光点灯を行わずに消灯させる閑暇モードが含まれ、人の存否の切り替わりが稀な場合に閑暇モードを選択するものとする。
【０００８】
望ましくは、照明器具の消費電力費用および照明器具のメンテナンス費用を含むランニングコストを演算し、そのランニングコストがより低くなるように前記各制御モードの選択条件を最適化するものとする。上記構成によれば、照明器具のランニングコストを抑えることが可能になる。
【発明の効果】
【０００９】
上述した手段により、利用状況に依存せず適切な調整を行う照明調整装置を提供することができる。
【発明を実施するための最良の形態】
【００１０】
以下、本発明の好適な実施形態について図面を利用して説明する。
【００１１】
図１には、本発明に係る照明調整装置の好適な実施形態が示されており、図１はその全体構成を示すブロック図である。人感センサ１０は、人の居室内への出入りを検知しており、検知結果を照明調整装置２０に出力する。照明調整装置２０は、居室への人の入退出間隔や回数に応じた最適な制御により照明器具３０の点灯、減光および消灯を制御する。
【００１２】
図２には、本実施形態の照明調整装置による照明器具の制御を説明するためのタイミングチャート（１）が示されている。図２には、時間経過５０、居室内への人の入退出のタイミングである「人の入退室」５２、本実施形態による照明器具の点灯および消灯タイミングである「本実施形態」５６が示されている。人の入退出のタイミングは人感センサ１０（図１）による検知結果に対応している。また、照明器具の点灯および消灯タイミングは照明調整装置２０（図１）による照明器具３０（図１）の制御結果に対応している。なお図２には、背景技術の欄で説明した第１例による照明器具の点灯および消灯タイミングである「背景技術の第１例」５４も示されている。
【００１３】
図２において、「背景技術の第１例」５４は、人感センサが在室者を検知しなくなってから５分経過後に照明器具を消灯する制御が行われている。このため、時間経過５０に示されるｂｃ，ｃｄ，ｅｆ，ｆｇ間において照明器具が消灯される。
【００１４】
これに対し、本実施形態の照明調整装置２０（図１）は、人の居室内への入退出の頻度に応じて制御モード切り替えを行う。つまり、入退出が頻繁に行われている場合には、通常モードから繁忙モードに切り替えて点灯および消灯の制御を行う。ここで、通常モードとしては、例えば、在室者を検知しなくなってから５分経過後に照明器具を消灯する制御を行う。そして、入退出が所定時間以内に行われ、それが所定回数繰り返されるなど、制御モードの切り替え条件を満たした場合に通常モードから繁忙モードへの切り替えが行われる。
【００１５】
図２に示される「本実施形態」５６では、制御モードの切り替え条件として、入退出が５分以内に行われ、それが３回以上繰り返されることとしている。時間経過５０に示されるａｂ間で５分以内の入退出が２回行われ、さらにその後５分以内に３回目の入退出が行われている。このため、制御モードの切り替え条件が満たされ、通常モードから繁忙モードに切り替えている。そして、人の退出後所定時間（例えば１時間）は、繁忙モードを維持して照明器具の点灯を継続させる。この結果、「背景技術の第１例」５４では照明器具が消灯されたｂｃ，ｃｄ，ｅｆ，ｆｇ間においても、「本実施形態」５６では点灯が継続される。
【００１６】
このように、本実施形態では、入退出が頻繁な場合において照明器具の不必要な点灯および消灯を避け、照明器具の管球寿命の低下を防止することができる。
【００１７】
図３には、本実施形態の照明調整装置による照明器具の制御を説明するためのタイミングチャート（２）が示されている。図３には、時間経過６０、居室内への人の入退出のタイミングである「人の入退室」６２、本実施形態による照明器具の点灯および消灯タイミングである「本実施形態」６６が示されている。人の入退出のタイミングは人感センサ１０（図１）による検知結果に対応している。また、照明器具の点灯および消灯タイミングは照明調整装置２０（図１）による照明器具３０（図１）の制御結果に対応している。なお図３には、背景技術の欄で説明した第２例による照明器具の点灯および消灯タイミングである「背景技術の第２例」６４も示されている。
【００１８】
図３において、「背景技術の第２例」６４では、人感センサにより在室者を検知しなくなってから５分経過後に照明器具を３０パーセントの減光点灯とする制御が行われている。このため、時間経過６０に示されるａｃ，ｃｅ，ｅｇ間で３０パーセントの減光点灯が行われている。
【００１９】
これに対し、本実施形態の照明調整装置２０（図１）は、人の居室内への入退出の頻度に応じて制御モード切り替えを行う。つまり、入退出が稀な場合には、通常モードから閑暇モードに切り替えて点灯、減光および消灯の制御を行う。ここで、通常モードとしては、例えば、在室者を検知しなくなってから５分経過後に照明器具を減光する制御を行う（通常モードにおいて減光継続時間が所定時間経過した場合には消灯してもよい）。そして、入退出が所定時間以内に所定回数以下しか行われなかった場合、例えば、１時間に１回しか行われなかった場合などのように、制御モードの切り替え条件を満たした場合に通常モードから閑暇モードへの切り替えが行われる。
【００２０】
図３に示される「本実施形態」６６では、時間経過６０に示されるａｃ間の１時間で入退出が１回しか行われなかったため、入退出の頻度から制御モードを通常モードから閑暇モードに切り替えている。このため、「背景技術の第２例」６４では３０パーセントの減光点灯が行われたｃｅ，ｅｇ間において、「本実施形態」６６では減光に変えて消灯制御が行われている。そして、入退出が所定時間以内に所定回数よりも多くなった場合、例えば、１時間に２回以上の入退出が行われた場合などのように、通常モードへの復帰条件を満たした場合に通常モードへ復帰する。
【００２１】
このように、本実施形態では、入退出が稀な場合において不必要な減光点灯を避け、照明器具の電力量の無駄な消費を防ぐことができる。
【００２２】
図４は、本実施形態の照明調整装置の動作を説明するための図である。本実施形態の照明調整装置では、人感センサに蓄積された検知間隔のデータを所定間隔、例えば、３０秒に１回の間隔で読み取って、そのデータに示される検知間隔（入退出の時間間隔）に応じて次のように制御モードを切り替える。
【００２３】
まず、入退出がＸ分以内に行われたか否かを判断する（Ｓ１００）。Ｘ分の初期値は、例えば５分とする。入退出がＸ分以内に行われている場合には、入退出が頻繁に行われているものと判断して繁忙モードを選択する（Ｓ１０２）。
【００２４】
入退出がＸ分以内に行われてない場合には、さらに、入退出がＹ時間以上行われていないかを判断する（Ｓ１０４）。Ｙ時間の初期値は、例えば１時間とする。入退出がＹ時間以上行われていない場合には、入退出が稀にしか行われていないと判断して閑暇モードを選択する（Ｓ１０６）。入退出がＹ時間経過より前に行われている場合には通常モードを選択する（Ｓ１０８）。
【００２５】
そして、通常モードを選択した後、ランニングコスト最小化処理を実行する（Ｓ１１０）。ランニングコストは次のように演算される。＊＊ランニングコスト＝使用電力量[ｋｗｈ／年]×電気料金単価[円／ｋｗｈ]＋管球交換回数[回／年]×管球交換料金単価[円／回]＊＊ランニングコスト最適化処理では、このランニングコストが最小になるように、Ｓ１００における「Ｘ」およびＳ１０４における「Ｙ」の値を最適化する。このように、本実施形態では照明器具のランニングコストを抑えることができる。
【００２６】
なお、本実施形態の照明調整装置は、例えば、コンピュータで実現することができる。つまり、図４を利用して説明した動作を実行させるプログラムによってコンピュータを照明調整装置として機能させることが可能である。
【図面の簡単な説明】
【００２７】
【図１】本発明に係る照明調整装置の全体構成を示すブロック図である。
【図２】照明器具の制御を説明するためのタイミングチャート（１）である。
【図３】照明器具の制御を説明するためのタイミングチャート（２）である。
【図４】本実施形態の照明調整装置の動作を説明するための図である。
【符号の説明】
【００２８】
１０  人感センサ、２０  照明調整装置、３０  照明器具。
【図１】
2005083807.tif 000003
【図２】
2005083807.tif 000004
【図３】
2005083807.tif 000005
【図４】
2005083807.tif 000006